(57)【要約】【課題】スピーディで、効率的で、少ない入力負荷で自由に地図情報を入力できる、地図情報入力システムを提供することを目的とする。【解決手段】紙に印刷した携帯可能な地図と、地図に対して記入を行い該記入内容および該記入位置の緯度経度情報からなる地図情報データを生成する記入手段と、記入した地図上の位置座標を緯度経度に変換する変換手段と、記入手段と変換手段との間において前記地図情報データの送受信を制御するデータ制御手段とを設けた地図情報入力システムを提供する。【選択図】　図１
2004138823.tif 000002
【特許請求の範囲】
【請求項１】
地図を参照し、特定範囲内の建物、交通状況などの地図情報を収集する地図情報入力システムであって、
紙に印刷した携帯可能な地図と、
前記地図に対して記入を行い、該記入内容および該記入位置座標からなる地図情報データを生成する記入手段と、
記入した地図上の位置座標を緯度経度に変換する変換手段と、
前記記入手段と、前記変換手段との間において、前記地図情報データの送受信を制御するデータ制御手段と、
を備えることを特徴とする地図情報入力システム。
【請求項２】
請求項１記載の地図情報入力システムであって、
前記地図が、
予め地図を印刷する紙の全面に印刷した微小な点と、
前記記入手段と、前記データ制御手段および前記変換手段との間の送受信を制御する通信指示領域と、
を備えたことを特徴とする地図情報入力システム。
【請求項３】
請求項１または２記載の地図情報入力システムであって、
前記地図が、
以降に記入する内容が、点、または２点を結ぶ線、または複数点を結ぶ閉じた図形であることを指示する図形記入指示領域、
を備えることを特徴とする地図情報入力システム。
【請求項４】
請求項１から３のいずれかに記載の地図情報入力システムであって、
前記地図が、
少なくとも一つの基準位置座標と、
該基準位置座標に対する基準緯度経度情報と、
を備えることを特徴とする地図情報入力システム。
【請求項５】
請求項１から４のいずれかに記載の地図情報入力システムであって、
前記記入手段が、
前記地図に記入した内容、および位置座標を地図情報データに変換するデジタルペンと、
前記地図情報データを、前記データ制御手段、および前記変換手段との間において送受信を行う通信手段と、
を備えることを特徴とする地図情報入力システム。
【請求項６】
請求項１から５のいずれかに記載の地図情報入力システムであって、
前記デジタルペンが、
前記地図に目視可能な筆跡を残す記入部と、
前記記入部による地図上の記入した個所の記入位置座標および記入内容を読み取る読取部と、
前記読み取った記入位置座標および記入内容から地図情報データを生成するプロセッサと、
前記地図情報データを保持するメモリと、
前記通信指示領域による指示および前記データ制御手段からの指示に基づいて前記メモリに保持している地図情報データを送出する無線通信手段と、
を備えることを特徴とする地図情報入力システム。
【請求項７】
請求項１から６のいずれかに記載の地図情報入力システムであって、
前記地図が、
前記メモリに保持した地図情報データの消去を指示する消去指示領域、
を備えることを特徴とする地図情報入力システム。
【請求項８】
請求項１から７のいずれかに記載の地図情報入力システムであって、
前記デジタルペンが、
前記地図上に記入した内容を消去する記入消去手段と、
該消去する記入内容に対応する地図情報データを消去するデータ消去手段と、
を備えることを特徴とする地図情報入力システム。
【請求項９】
請求項１から８のいずれかに記載の地図情報入力システムであって、
前記データ制御手段が、
前記記入手段が送信した地図情報データを受信する第１の受信手段と、
前記地図の全ての微小点を記憶し、記憶している微小点により、受信した地図情報データが処理対象か否か判定する認証手段と、
前記記入手段に対して、位置座標を緯度経度へ変換する変換手段の所在を通知する所在通知手段と、
を備えることを特徴とする地図情報入力システム。
【請求項１０】
請求項１から９のいずれかに記載の地図情報入力システムであって、
前記変換手段が、
前記記入手段から地図情報データを受信する第２の受信手段と、
前記記入位置座標の前記基準位置座標に対する相対位置を求め、前記基準緯度経度情報に対して演算することにより、該記入位置座標を緯度経度データへ変換する緯度経度演算手段と、
を備えることを特徴とする地図情報入力システム。
【請求項１１】
請求項１から１０のいずれかに記載の地図情報入力システムであって、
前記記入手段から受信した地図情報データ、および前記変換手段が変換した緯度経度データを関連付けて記録するデータベースと、
前記緯度経度データに基づく地図上の位置に該当する地図情報データを表示する地図情報表示手段と、
を備えることを特徴とする地図情報入力システム。
【請求項１２】
コンピュータを、請求項１から１１記載の地図情報入力システムとして動作させるためのプログラム。
【請求項１３】
コンピュータを、請求項１から１１記載の地図情報入力システムとして動作させるためのプログラムを記録したコンピュータ読み取り可能な記録媒体。
【発明の詳細な説明】
【０００１】
【発明の属する技術分野】
本発明は、地図上の特定の位置に対する、周辺建物、交通状況、エリア情報などの地図情報を入力する地図情報入力システムに関し、特に、緯度経度、および自由形式のコメントなどを容易に入力可能な地図情報入力システムに関するものである。
【０００２】
【従来の技術】
従来、地図を表示し、当該地図において自分の位置、特定店舗の表示などの情報提供を行うことが行われている（例えば、特許文献１参照。）。
【０００３】
また、新規店舗の出店にあたり、店舗開発員が収集した情報に加えて、地図情報システムを用いて集計した商圏情報を利用して、出店候補地の評価を行うことも行われている（例えば、特許文献２参照。）。
【０００４】
【特許文献１】
特開平９−３３０３２９号公報
【特許文献２】
特開２００１−１２５９５５号公報
【０００５】
これらは、予め、地図の特定位置または特定の領域に係る、店舗や周辺施設、人や車の動線や交通量などの交通状況（以下、地図情報という）を入力し、緯度経度などの位置情報と関連付けて記憶することにより、地図情報を地図上に表示している。
【０００６】
しかしながら、従来においては、地図情報の入力、追加、および変更に対して効率的で有効な手段が提案されていないという問題がある。
【０００７】
地図情報は、情報収集担当者が現地において、携帯した紙の地図に対して記入したり、ノート型パソコンまたは携帯情報端末（ＰＤＡ：Ｐｅｒｓｏｎａｌ　Ｄｉｇｉｔａｌ　Ａｓｓｉｓｔａｎｔ）を携帯し、デジタル化された地図データを画面に表示して、キーボードやタッチペンにより周辺情報を入力すると同時に、ＧＰＳ（Ｇｌｏｂａｌ　Ｐｏｓｉｔｉｏｎｉｎｇ
Ｓｙｓｔｅｍ）により緯度経度情報を取得するのが一般的である。
【０００８】
紙の地図を用いた場合、以降の情報提供や出店候補地の評価のためにコンピュータシステムに入力する必要があり、地図上に記入した地図情報を持ち帰り、地図情報入力用の専用画面などに対して、緯度経度を指定しながら、キーボード、マウスなどを介して入力しなければいけないため、入力の手間がかかり、データ入力の費用が発生するという問題がある。
【０００９】
また、デジタル化された地図データを使用する場合は、ＰＤＡの画面が小さいために地図が見難い、画面が大きいノート型パソコンは携帯性に難がある、操作方法を知らないと入力できない、などの問題がある。
【００１０】
また、ＰＤＡやノート型パソコンを含むコンピュータシステムに対して地図情報を入力する位置座標の指定においては、１）特定の一点を指定する、２）予め決められている矩形や円形の領域を指定するなど、領域を選択する方法に制限がある。
【００１１】
また、地図情報の入力においても、操作性や応答速度向上のため、１）指定した領域とは異なる場所に表示されたボックスに文字を入力する、２）入力すべき内容をリストから選択するなど、入力作業が煩雑か、入力できる地図情報に制約がある。
【００１２】
したがって、多角線や楕円などで囲まれる任意の領域を指定したり、記号や文字を用いて自由に地図情報を入力することができないという問題がある。
【００１３】
【発明が解決しようとする課題】
本発明は上述の課題に鑑みてなされたものであり、その目的とするところは、スピーディで、効率的で、少ない入力負荷で自由に地図情報を入力できる、地図情報入力システムを提供することである。
【００１４】
【課題を解決するための手段】
上記目的を達成するために、本発明の第１の態様は、地図を参照し特定範囲内の建物、交通状況などの地図情報を収集する地図情報入力システムであって、紙に印刷した携帯可能な地図と、前記地図に対して記入を行い該記入内容および該記入位置の緯度経度情報からなる地図情報データを生成する記入手段と、記入した地図上の位置座標を緯度経度に変換する変換手段と、前記記入手段と前記変換手段との間において前記地図情報データの送受信を制御するデータ制御手段とを設けたものである。
【００１５】
本発明の第２の態様は、上述の第１の態様に係る地図情報入力システムにおいて、前記地図に、予め地図を印刷する紙の全面に印刷した微小な点と、前記記入手段と前記データ制御手段および前記変換手段との間の送受信を制御する通信指示領域とを設けたものである。
【００１６】
本発明の第３の態様は、上述の第１または２の態様に係る地図情報入力システムにおいて、前記地図に、以降に記入する内容が、点、または２点を結ぶ線、または複数点を結ぶ閉じた図形であることを指示する図形記入指示領域を設けたものである。
【００１７】
本発明の第４の態様は、上述の第１から３の態様に係る地図情報入力システムにおいて、前記地図に、少なくとも一つの基準位置座標と、該基準位置座標に対する基準緯度経度情報とを設けたものである。
【００１８】
本発明の第５の態様は、上述の第１から４の態様に係る地図情報入力システムにおいて、前記記入手段に、前記地図に記入した内容および位置座標を地図情報データに変換するデジタルペンと、前記地図情報データを前記データ制御手段および前記変換手段との間において送受信を行う通信手段とを設けたものである。
【００１９】
本発明の第６の態様は、上述の第１から５の態様に係る地図情報入力システムにおいて、前記地図に目視可能な筆跡を残す記入部と、前記記入部による地図上の記入した個所の記入位置座標および記入内容を読み取る読取部と、前記読み取った記入位置座標および記入内容から地図情報データを生成するプロセッサと、前記地図情報データを保持するメモリと、前記通信指示領域による指示および前記データ制御手段からの指示に基づいて前記メモリに保持している地図情報データを送出する無線通信手段とを設けたものである。
【００２０】
本発明の第７の態様は、上述の第１から６の態様に係る地図情報入力システムにおいて、前記地図に、前記メモリに保持した地図情報データの消去を指示する消去指示領域を設けたものである。
【００２１】
本発明の第８の態様は、上述の第１から７の態様に係る地図情報入力システムにおいて、前記デジタルペンに、前記地図上に記入した内容を消去する記入消去手段と、該消去する記入内容に対応する地図情報データを消去するデータ消去手段とを設けたものである。
【００２２】
本発明の第９の態様は、上述の第１から８の態様に係る地図情報入力システムにおいて、前記データ制御手段に、前記記入手段が送信した地図情報データを受信する第１の受信手段と、前記地図の全ての微小点を記憶し記憶している微小点により受信した地図情報データが処理対象か否か判定する認証手段と、前記記入手段に対して位置座標を緯度経度へ変換する変換手段の所在を通知する所在通知手段とを設けたものである。
【００２３】
本発明の第１０の態様は、上述の第１から９の態様に係る地図情報入力システムにおいて、前記変換手段に、前記記入手段から地図情報データを受信する第２の受信手段と、前記記入位置座標の前記基準位置座標に対する相対位置を算出し前記基準緯度経度情報に対して演算することにより該記入位置座標を緯度経度データへ変換する緯度経度演算手段とを設けたものである。
【００２４】
本発明の第１１の態様は、上述の第１から１０の態様に係る地図情報入力システムにおいて、前記記入手段から受信した地図情報データおよび前記変換手段が変換した緯度経度データを関連付けて記録するデータベースと、前記緯度経度データに基づく地図上の位置に該当する地図情報データを表示する地図情報表示手段とを設けたものである。
【００２５】
本発明の第１２の態様は、コンピュータを、上述の第１から１１の態様に係る地図情報入力システムとして動作させるためのプログラムを提供するようにしたものである。
【００２６】
本発明の第１３の態様は、コンピュータを、上述の第１から１１の態様に係る地図情報入力システムとして動作させるためのプログラムをコンピュータ読み取り可能な記録媒体に記録して提供するようにしたものである。
【００２７】
【発明の実施の形態】
以下、本発明を図示する実施形態に基づいて説明する。図１は、本発明の地図情報入力システム１の一実施例を示す構成図である。
【００２８】
地図情報入力システム１は、地図２と、記入手段３と、データ制御手段４と、変換手段５と、データベース６と、地図情報表示手段７とを備え、ネットワーク８を介して相互に通信可能になっている。
【００２９】
図２は、地図２の紙面の一部の拡大図である。地図２は、炭素入りインキを用いて、０．３ｍｍ程度の間隔で微小点９を予め印刷した用紙に、地図を印刷したものである。
【００３０】
この微小点９は、微妙に格子を崩した形で配置されており、当該微小点９を印刷した全ての用紙において、２ｍｍ角程度の特定領域の微小点９の配列パターンは一意になっている。２ｍｍ角程度の特定領域毎の微小点９の配列パターンを認識することにより、地図２上のどの位置かを識別することができる。
【００３１】
地図２が複数枚の地図から成る場合においても、各々の地図に印刷されている微小点９の配列パターンは異なるため、微小点９の配列パターンを判断することにより、どの地図であるかを識別することができる。もちろん、各々の地図に対して、明示的に地図を識別するＩＤを付与してもよい。
【００３２】
また、地図２は、少なくとも一つの基準位置座標を有し、同時に、該基準位置座標に対する基準緯度経度情報を有している。
【００３３】
基準位置座標は、通常、地図２の４角のうちの一つ（例えば、左上端、左下端など）の位置座標を、例えば（０，０）として設定する。実際には、基準位置座標は、当該位置における微小点９の配列パターンにより、位置を特定する。
【００３４】
また、地図２が複数の地図から成る場合、基準位置座標は、記入位置座標の基準座標に対する相対位置が算出可能であれば、１）各々の地図に設定、２）一つの地図に設定し、地図間の繋がり関係から他の地図の基準位置座標を算出する、３）一つの地図だけに設定し、他の地図には設定しない、などの様々な形態を取ることが可能である。
【００３５】
変換手段５に対して位置座標の緯度経度への変換を依頼する際に、地図情報データと同時に送信可能であれば、基準緯度経度情報は、必ずしも地図上に明示されている必要はない。
【００３６】
また、地図２には、データの送信を指示可能な通信指示領域１０が印刷されている。通信指示領域１０は、地図２上に特定の配列パターンの微小点９を印刷することにより、「特定の相手に対してデータを送信する」という通信の指示機能を持たせたものである。
【００３７】
また、地図２には、以降に記入する内容が、点、または２点を結ぶ線、または複数点を結ぶ多角形や楕円などの閉じた図形であることを指示する図形記入指示領域１１が印刷されている。
【００３８】
図形記入指示領域１１は、地図２上に特定の配列パターンの微小点９を印刷することにより、「次に記入するものが、点、または線、または図形である」という記入する図形の種類を指示する機能を持たせたものである。
【００３９】
更に、地図２には、地図２上に特定の配列パターンの微小点９を印刷することにより、「次に記入手段３により指示するものを消去する」という指示を行う消去指示領域１２も印刷されている。
【００４０】
次に、記入手段３は、デジタルペン１３と、通信手段１４を備えており、地図２に対する記入、地図情報データの作成、および地図情報データの送信を行うものである。
【００４１】
図３は、デジタルペン１３の構成図である。デジタルペン１３は、記入部１５、読取部１６、プロセッサ１７、メモリ１８、無線通信手段１９から構成されている。
【００４２】
記入部１５は、デジタルペン１３の軌跡を、通常の記入具と同様に目視確認可能にするためのインキ・カートリッジ、およびペン先である。
【００４３】
読取部１６は、実際には、１秒間に１００回程度、赤外線により微小点９を撮影するデジタルカメラである。炭素入りインキで印刷した微小点９だけを認識し、地図の印刷部分やデジタルペン１３により記入したインキ部分などは認識しないものである。
【００４４】
プロセッサ１７は、読取部１６が撮影した微小点９の配列パターンを画像処理して、デジタルペン１３の正確な現在位置を逐次計算するものである。更に、読取部１６が撮影した各回の微小点９の配列パターン画像を比較し、デジタルペン１３の向きや動きなどを算出し、ＳＶＧ（Ｓｃａｌａｂｌｅ　Ｖｅｃｔｏｒ　Ｇｒａｐｈｉｃｓ）形式などのベクトルデータとして取得するものである。
【００４５】
また、予め特定の領域を設定しておくことにより、当該領域におけるデジタルペン１３の軌跡から文字コードに変換することも可能である。
【００４６】
記入部１５を用いて地図２上に記入を行い、その時撮影した微小点９の配列パターンにより、プロセッサ１７が、地図２上の位置やデジタルペン１３の軌跡をデジタル化することで、地図２に記入された、文字、点、線、図形などの全てを地図情報データとすることができる。
【００４７】
メモリ１８は、通信指示領域１０を介してデータ送信の指示があるまでの間、プロセッサ１７の処理により取得した地図情報データを一時的に保持するものである。
【００４８】
無線通信手段１９は、例えば、ブルートゥース技術などの、パーソナルコンピュータ、周辺機器、デジタル家電などの間で、短距離の無線通信を行うものである。
【００４９】
本発明の微小点９を印刷した地図２、およびデジタルペン１３は、例えば、Ａｎｏｔｏ社が提案するＡｎｏｔｏペーパーとＡｎｏｔｏペン（どちらもＡｎｏｔｏ社の商標）により構成することができる。
【００５０】
また、デジタルペン１３は、記入消去手段と、データ消去手段を備える消去手段２０を備えており、地図２に記入した内容およびメモリ１８に記憶したデータを消去することができる。
【００５１】
記入消去手段は、それ以前に書き込んだ内容に対して、２重線や×印などの消去記号を重ねて書き込むことにより、それ以前に記入した内容を消去（訂正）する筆記部１５の機能、あるいは地図２からそれ以前に記入した内容を完全に消去するインキ消し液などである。
【００５２】
データ消去手段は、デジタルペン１３が消去指示領域１２に接触した以降に、記入消去手段により重ねて記入した消去記号に基づいて、メモリ１８に記憶した対応する地図情報データを消去するものである。該地図情報に対して消去済みの識別を付加するなどの方法により、地図情報データを使用しないようにすることでもよい。
【００５３】
消去する場合、予めデジタルペン１３により消去指示領域１２をチェックしているため、デジタルペン１３の動作により撮影した微小点９の配列パターンは消去位置を判断するのに使用するが、書き込んだ消去記号については、メモリ１８へ記憶しない。
【００５４】
記入消去手段が、以前に記入した内容に対して、消去記号を重ねて書き込む際に、読取部１６、プロセッサ１７は、通常の記入と同様に、地図２上の消去記号を書き込んだ部分に印刷されている微小点９の配列パターンを読み取り、地図２上の消去位置座標を特定する。
【００５５】
プロセッサ１７は、メモリ１８に記憶している地図情報データの中から、消去位置座標と完全に一致する、または消去位置座標と一定の距離内の近傍と判断可能な地図情報データを探索し、当該地図情報データを消去する。
【００５６】
通信手段１４は、無線通信手段１９と通信可能であり、且つネットワーク８と接続して、２つの異なる通信手順が相互に通信可能なような仲介装置であり、実際には二つの通信手順を搭載した携帯電話、ＰＨＳ、パーソナルコンピュータ、アクセスポイントなどである。
【００５７】
記入手段３は、データ制御手段４に対して、地図２の微小点９の配列パターンを送信することで、データ制御手段４から変換手段５の位置を受け取り、次に、メモリ１８に記憶した地図情報データ、基準位置座標、および基準緯度経度情報を変換手段５へ送信する、という２段階の通信を行う。
【００５８】
データ制御手段４は、第１の受信手段２１と、認証手段２２と、所在通知手段２３とを備えており、記入手段３、および変換手段５の間の通信を制御するものである。
【００５９】
データ制御手段４は、実際にはコンピュータシステムであり、ハードウェアの観点からみると、情報を記録するコンピュータ用の記録装置（磁気ディスク、光ディスクなど）、コンピュータに指示を与える入力装置（キーボード、マウスなど）、演算を行うＣＰＵ、結果を表示するＣＲＴなどの表示装置、結果を印字するプリンタ、記入手段３および変換手段５とネットワーク８を介して通信可能な通信インタフェースなどから構成されている。
【００６０】
受信手段２１は、ネットワーク８を介して、デジタルペン１３から当該地図２の微小点９の配列パターンを受信するものである。
【００６１】
認証手段２２は、地図２に印刷されている全ての微小点９の配列パターンを記憶しており、受信した微小点９の配列パターンを記憶している微小点９の配列パターンと照合することにより、地図２が本発明の地図情報入力システム１の地図であることを認証するものである。
【００６２】
所在通知手段２３は、地図２が、認証手段２２により本発明の地図情報入力システム１の地図であることが認証された場合に、変換手段５の位置をデジタルペン１３に通知するものである。
【００６３】
変換手段５は、第２の受信手段２４と、緯度経度演算手段２５とを備え、地図２上の位置座標を緯度経度情報に変換するものである。
【００６４】
第２の受信手段２４は、デジタルペン１３から地図情報データ、基準位置座標、基準緯度経度情報を受信するものである。
【００６５】
緯度経度演算手段２５は、地図情報データ中の微小点９の配列パターンから地図２上の位置座標を認識し、受信した基準位置座標からの相対位置を算出し、基準緯度経度情報に対して算出した相対位置を演算することにより、地図情報を記入した位置の緯度経度データを算出するものである。
【００６６】
データベース６は、変換手段５が変換した緯度経度データ、およびデジタルペン１３から受信した地図情報データを対にして記憶するものである。微小点９の配列パターンを記憶するか否かは任意である。
【００６７】
地図情報表示手段７は、データベース６に記憶した緯度経度データ、および地図情報データを合成して、画面上の地図上に地図情報を重ねて表示する地理情報システム（ＧＩＳ：Ｇｅｏｇｒａｐｈｉｃ　Ｉｎｆｏｒｍａｔｉｏｎ　Ｓｙｓｔｅｍ）である。
【００６８】
図４は、本発明の地図情報入力システム１の動作を示す模式図である。まず、微小点９、通信指示領域１０、図形指示領域１１、消去指示領域１２を備える地図２を用意する。
【００６９】
地図２は、図５に示すように、左下端に基準位置座標を備え、基準位置座標が（１００，１００）、基準緯度経度が北緯３５度４０分１０秒、東経１３９度４１分４５秒であるものとして説明する。
【００７０】
情報収集担当者は、地図２を携帯して、地図情報の収集を行う現地、例えば、位置座標が（１３０，１６０）である図５のＡ地点近辺において、デジタルペン１３を用いて地図に記入することにより、地図情報の収集を行う。
【００７１】
情報収集担当者は、地図２のＡ地点近辺に対して、記入部１５により、店舗や周辺施設、人や車の動線や交通量などの交通状況など、地図情報を記入する。
【００７２】
と同時に、読取部１６は、Ａ地点近辺に記入を行う際のデジタルペン１３の軌跡に従い、地図２に予め印刷されている微小点９の配列パターンを、例えば１秒間に１００回程度撮影する。
【００７３】
プロセッサ１７は、読取部１６が撮影したＡ地点近辺の微小点９の配列パターンを比較することにより、デジタルペン１３が地図２に記入した位置の始点と終点の位置座標、線分の方向と長さなどを算出し、記入内容全てをベクトル化したＳＶＧ形式の地図情報データ、および微小点９の配列パターンをメモリ１８へ記憶する。
【００７４】
図５の例においては、例えば、記入の開始位置が、位置座標（１３５，１６５）で、右方向に向けて記入された「高層ビルあり」という文字を地図情報データとして記憶する。
【００７５】
地図２に記入する際に、点、線、多角形や楕円などの図形を記入する場合は、まずデジタルペン１３により、図形指示領域１１をチェックする。
【００７６】
図形指示領域１１をチェックした際、読取部１６は、図形指示領域１１に印刷された特定の微小点９の配列パターンを撮影し、プロセッサ１７により認識することで、デジタルペン１３は、以降に記入するものを図形として扱う。
【００７７】
また、一度記入したものを消去する場合は、デジタルペン１３により消去指示領域１２をチェックした際、読取部１６は、消去指示領域１２に印刷された特定の微小点９の配列パターンを撮影し、プロセッサ１７により認識することで、デジタルペン１３は、以降に記入するものが削除記号であると認識する。
【００７８】
デジタルペン１３により消去指示領域１２をチェックした後、記入部１５により、既に記入済みの地図情報に２重線を引く、×印などの消去記号を記入することで、記入済みの地図情報を消去する。
【００７９】
消去記号の記入を行った際、読取部１６は、消去記号を記入した位置の微小点９の配列パターンを撮影し、プロセッサ１７により認識を行い、消去記号が書き込まれた地図２の位置座標を特定する。
【００８０】
データ消去手段は、上述の消去記号が記入された位置座標と、メモリ１８に記憶してある地図情報データの位置座標とを照合することにより、該当する地図情報データを探索し、当該地図情報データをメモリ１８から削除する。
【００８１】
情報収集担当者が、全ての地図情報を記入した後などに、デジタルペン１３により、地図２の通信指示領域１０をチェックすると、プロセッサ１７は、メモリ１８から記憶した地図２の微小点９の配列パターンを取り出し、無線通信手段１９に送信を依頼する。
【００８２】
無線通信手段１９は、自分と通信可能な周辺の機器を探索し、通信手段１４を見つけて接続し、地図２の微小点９の配列パターンを通信手段１４に対して送出する。
【００８３】
通信手段１４は、無線通信手段１９から受信した地図２の微小点９の配列パターンを、ネットワーク８を介して、データ制御手段４に対して送信する。
【００８４】
データ制御手段４は、第１の受信手段２１により、通信手段１４から地図２の微小点９の配列パターンを受信する。
【００８５】
認証手段２２は、受信した微小点９の配列パターンから、地図２が、変換手段５により地図２上の位置座標を、緯度経度データに変換する対象の地図であることを認証する。
【００８６】
認証手段２２が地図２を変換対象の地図であると認証した場合、所在通知手段２３は、変換手段５の所在を、例えばＵＲＬなどの形式で、受信とは逆の手順を経て、情報収集担当者のデジタルペン１３に送信する。
【００８７】
認証手段２４により、地図２が変換対象の地図であることを認証できない場合は、認証できないことを情報収集担当者のデジタルペン１３に返送する。
【００８８】
所在通知手段２３の通知により変換手段５の所在を入手した情報収集担当者のデジタルペン１３は、データ制御手段４へデータを送信したのと同様な手順により、変換手段５に対して地図２が備える基準位置座標、基準緯度経度情報、地図２の微小点９の配列パターン、および地図情報データを送信する。
【００８９】
図５においては、基準位置座標が（１００，１００）、基準緯度経度情報が北緯３５度４０分１０秒、東経１３９度４１分４５秒、地図情報データが位置座標（１３５，１６５）、文字「高層ビルあり」が送信されることになる。
【００９０】
第２の受信手段２４は、デジタルペン１３から地図２が備える基準位置座標、基準緯度経度情報、地図２の微小点９の配列パターン、および地図情報データを受信する。
【００９１】
緯度経度演算手段２５は、地図情報データに含まれる位置座標に対して、基準位置座標からの相対位置を算出し、基準緯度経度情報に対して算出した相対位置を演算することにより、緯度経度データを算出する。
【００９２】
図５において、該地図が縮尺などを考慮して、位置座標が右および上へ５移動すると緯度、経度が各々１秒加算されるものとすると、文字列「高層ビルあり」が記入された緯度経度は、右に１３５−１００＝３５、上に１６５−１００＝６５移動するから、緯度は７秒、経度は１３秒加算されるので、北緯３５分４０分１７秒、東経１３９度４１分５８秒となる。
【００９３】
また、緯度経度演算手段２５は、算出した緯度経度データ、および地図情報データを関連付けて、データベース６に記憶する。データベース６に記憶させるための機能を、別途用意することも可能である。
【００９４】
地図情報表示手段７は、データベース６から緯度経度データ、および地図情報データを取り出し、予め備えているＧＩＳ用の地図データに、緯度経度データに基づいて地図情報データを重ねて表示する。
【００９５】
以上、本発明を実施の形態に基づいて詳細に説明してきたが、本発明による地図情報入力システムは、上述の実施の形態に何ら限定されるものではなく、本発明の趣旨を逸脱しない範囲において、種々の変更が可能なことは当然のことである。
【００９６】
【発明の効果】
以上のとおり、本発明に係る地図情報入力システムによれば、微小点を印刷した地図と、読取手段およびプロセッサにより記入内容をデータ化できるデジタルペンを用いることにより、地図に記入すると同時に、記入内容から地図上の位置座標を含む地図情報データが生成できるので、狭い画面で地図見たり、キーボードなどを用いて改めて入力したりする必要がない。
【００９７】
また、地図に図形指示領域を設け、デジタルペンの軌跡をベクトルデータに変換することにより、点、線、図形を使って位置を指定し、記号や文字など自由な形式で、地図情報を入力することができる。
【００９８】
また、地図に消去指示領域を設け、以前に記入済みの地図情報を消去できるため、より詳細な情報を付加したり、より適切な内容に変更したりすることが簡単にできる。
【００９９】
また、地図に書き込むという動作だけで、同時に地図情報データが生成されるため、特別な画面の操作方法などを覚える必要もなく、簡単に地図情報を入力することができ、効率的である。
【０１００】
また、地図上の位置座標を緯度経度データに変換し、地図情報を地図上に重ねて表示することが可能であるから、複数の情報収集担当者によって地図情報の収集を行った場合や、異なる時間帯に複数回の情報収集を行った場合でも、地図情報を一括して見ることができる。
【図面の簡単な説明】
【図１】本発明の一実施の形態を示すシステム構成図である。
【図２】本発明の地図の拡大図である。
【図３】本発明のデジタルペンの構造図である。
【図４】本発明の地図情報入力システムの動作の模式図である。
【図５】本発明の地図情報入力システムの動作を説明するための地図の例である。
【符号の説明】
１　地図情報入力システム
２　地図
３　記入手段
４　データ制御手段
５　変換手段
６　データベース
７　地図情報表示手段
８　ネットワーク
９　微小点
１０　通信指示領域
１１　図形指示領域
１２　消去指示領域
１３　デジタルペン
１４　通信手段
１５　記入部
１６　読取部
１７　プロセッサ
１８　メモリ
１９　無線通信手段
２０　消去手段
２１　第１の受信手段
２２　認証手段
２３　所在通知手段
２４　第２の受信手段
２５　緯度経度演算手段
【図１】
2004138823.tif 000003
【図２】
2004138823.tif 000004
【図３】
2004138823.tif 000005
【図４】
2004138823.tif 000006
【図５】
2004138823.tif 000007